(57)【要約】【課題】画像記録時のデジタルズーム操作に関する拡大情報を保持しながら、記録される画像の品質低下を防止しつつ、高画質なデジタルズーム画像を再生することが可能な記録装置、再生装置、記録方法、再生方法及びプログラムを提供すること。【解決手段】撮像素子からフレーム単位で順次出力されるＲＡＷ画像データを再生可能な画像データに画像処理してフレーム単位の処理済画像データを生成する画像処理部と、ＲＡＷ画像データを再生可能な前記処理済画像データに画像処理する際に行なった拡大処理の情報である拡大情報を取得する拡大情報取得部と、フレーム単位のＲＡＷ画像データと、フレーム単位の処理済画像データと、フレーム単位の拡大情報とをフレーム毎に順次記録媒体に記録する媒体記録部とを備えることを特徴とする。【選択図】図１
2009147743.tif 000002
【特許請求の範囲】
【請求項１】
撮像素子からフレーム単位で順次出力されるＲＡＷ画像データを再生可能な画像データに画像処理してフレーム単位の処理済画像データを生成する画像処理部と、
前記ＲＡＷ画像データを再生可能な前記処理済画像データに画像処理する際に行なった拡大処理の情報である拡大情報を取得する拡大情報取得部と、
フレーム単位の前記ＲＡＷ画像データと、フレーム単位の前記処理済画像データと、フレーム単位の前記拡大情報とをフレーム毎に順次記録媒体に記録する媒体記録部と
を備えることを特徴とする、記録装置。
【請求項２】
前記拡大情報は、拡大倍率であることを特徴とする、請求項１記載の記録装置。
【請求項３】
前記拡大情報は、拡大される原画像領域を指定する情報であることを特徴とする、請求項１記載の記録装置。
【請求項４】
フレーム単位のＲＡＷ画像データと、前記ＲＡＷ画像データを再生可能な画像データに画像処理したフレーム単位の処理済画像データと、前記処理済画像データを記録する際のデジタルズーム操作の拡大情報とがフレーム毎に順次記録された記録媒体から、各前記ＲＡＷ画像データ、各前記処理済画像データ及び各前記拡大情報のうち少なくともいずれかを読み出すデータ読出部と、
前記ＲＡＷ画像データをフレーム毎に順次再生する際、前記読み出した拡大情報に基づいて、対応する前記ＲＡＷ画像データのフレーム内の一部の領域を拡大する画像処理をする画像処理部と
を備えることを特徴とする、再生装置。
【請求項５】
前記拡大情報は、拡大倍率であることを特徴とする、請求項４記載の再生装置。
【請求項６】
前記拡大情報は、拡大される原画像領域を指定する情報であることを特徴とする、請求項４記載の再生装置。
【請求項７】
撮像素子からフレーム単位で順次出力されるＲＡＷ画像データを再生可能な画像データに画像処理してフレーム単位の処理済画像データを生成するステップと、
前記ＲＡＷ画像データを再生可能な前記処理済画像データに画像処理する際に行なった拡大処理の情報である拡大情報を取得するステップと、
フレーム単位の前記ＲＡＷ画像データと、フレーム単位の前記処理済画像データと、フレーム単位の前記拡大情報とをフレーム毎に順次記録媒体に記録するステップと
を備えることを特徴とする、記録方法。
【請求項８】
前記拡大情報は、拡大倍率であることを特徴とする、請求項７記載の記録方法。
【請求項９】
前記拡大情報は、拡大される原画像領域を指定する情報であることを特徴とする、請求項７記載の記録方法。
【請求項１０】
フレーム単位のＲＡＷ画像データと、前記ＲＡＷ画像データを再生可能な画像データに画像処理したフレーム単位の処理済画像データと、前記処理済画像データを記録する際のデジタルズーム操作の拡大情報とがフレーム毎に順次記録された記録媒体から、各前記ＲＡＷ画像データ、各前記処理済画像データ及び各前記拡大情報のうち少なくともいずれかを読み出すステップと、
前記ＲＡＷ画像データをフレーム毎に順次再生する際、前記読み出した拡大情報に基づいて、対応する前記ＲＡＷ画像データのフレーム内の一部の領域を拡大する画像処理をするステップと
を備えることを特徴とする、再生方法。
【請求項１１】
前記拡大情報は、拡大倍率であることを特徴とする、請求項１０記載の再生方法。
【請求項１２】
前記拡大情報は、拡大される原画像領域を指定する情報であることを特徴とする、請求項１０記載の再生方法。
【請求項１３】
撮像素子からフレーム単位で順次出力されるＲＡＷ画像データを再生可能な画像データに画像処理してフレーム単位の処理済画像データを生成する手段、
前記ＲＡＷ画像データを再生可能な前記処理済画像データに画像処理する際に行なった拡大処理の情報である拡大情報を取得する手段、
フレーム単位の前記ＲＡＷ画像データと、フレーム単位の前記処理済画像データと、フレーム単位の前記拡大情報とをフレーム毎に順次記録媒体に記録する手段
をコンピュータに実行させるためのプログラム。
【請求項１４】
前記拡大情報は、拡大倍率であることを特徴とする、請求項１３記載のプログラム。
【請求項１５】
前記拡大情報は、拡大される原画像領域を指定する情報であることを特徴とする、請求項１３記載のプログラム。
【請求項１６】
フレーム単位のＲＡＷ画像データと、前記ＲＡＷ画像データを再生可能な画像データに画像処理したフレーム単位の処理済画像データと、前記処理済画像データを記録する際のデジタルズーム操作の拡大情報とがフレーム毎に順次記録された記録媒体から、各前記ＲＡＷ画像データ、各前記処理済画像データ及び各前記拡大情報のうち少なくともいずれかを読み出す手段、
前記ＲＡＷ画像データをフレーム毎に順次再生する際、前記読み出した拡大情報に基づいて、対応する前記ＲＡＷ画像データのフレーム内の一部の領域を拡大する画像処理をする手段
をコンピュータに実行させるためのプログラム。
【請求項１７】
前記拡大情報は、拡大倍率であることを特徴とする、請求項１６記載のプログラム。
【請求項１８】
前記拡大情報は、拡大される原画像領域を指定する情報であることを特徴とする、請求項１６記載のプログラム。
【発明の詳細な説明】
【技術分野】
【０００１】
本発明は、記録装置、再生装置、記録方法、再生方法及びプログラムに関する。
【背景技術】
【０００２】
動画を記録可能なビデオカメラ、カムコーダなどの撮像装置は、一般にＣＣＤ等の撮像素子の各画素から出力された信号に所定の画像処理（現像処理）を行った後、ＭＰＥＧ−２、Ｍｏｔｉｏｎ  ＪＰＥＧ等の圧縮処理を施し、フラッシュメモリやＨＤＤ、ＤＶＤ等の記録媒体に画像データの記録を行っている。
【０００３】
ここで、上記の画像処理とは、例えばホワイトバランス制御、露出制御などである。また、デジタルズーム操作を行って画像の記録をする場合、通常、撮像素子の一部の領域のデータのみ抽出する切り出し処理を行い、切り出されたデータについて拡大処理を行って、ズーム効果のある画像を取得する。例えば、特許文献１では、デジタルズームを行う場合の切り出し処理において、従来切り捨てられていた領域に対して切り出される領域とは別途圧縮率の異なる圧縮符号化を行ない、従来切り捨てられていた領域を保存する技術が開示されている。
【０００４】
【特許文献１】特開２００４−２１４９８５号公報
【発明の開示】
【発明が解決しようとする課題】
【０００５】
通常、画像処理をした後、圧縮処理が施されることによって、画像の記録再生品質は、圧縮処理が施される前のデータに比べて低下する。そのため、静止画を記録するデジタルカメラ等の撮像装置には、圧縮処理を行わずに撮像素子から出力された信号をＲＡＷ形式として直接記録するものがある。しかしながら、動画像を記録するカムコーダ等の撮像装置では、ＲＡＷ形式として記録する際に処理量が大きくなるため、通常、縮小画像を保存し、この縮小画像を現像作業などの作業時や撮像装置での再生時に利用する場合が多かった。
【０００６】
デジタルズーム操作を行って画像を記録する場合、上述したとおり、撮像素子の一部の領域についてのみ抽出する切り出し処理を行うため、デジタルズームを行わない場合に比較してデータ量が減少し、切り出したデータに対して拡大するため、再生時の画質が低下するという問題があった。
【０００７】
そこで、本発明は、上記問題に鑑みてなされたものであり、本発明の目的とするところは、画像記録時のデジタルズーム操作に関する拡大情報を保持しながら、記録される画像の品質低下を防止しつつ、高画質なデジタルズーム画像を再生することが可能な、新規かつ改良された記録装置、再生装置、記録方法、再生方法及びプログラムを提供することにある。
【課題を解決するための手段】
【０００８】
上記課題を解決するために、本発明のある観点によれば、撮像素子からフレーム単位で順次出力されるＲＡＷ画像データを再生可能な画像データに画像処理してフレーム単位の処理済画像データを生成する画像処理部と、ＲＡＷ画像データを再生可能な前記処理済画像データに画像処理する際に行なった拡大処理の情報である拡大情報を取得する拡大情報取得部と、フレーム単位のＲＡＷ画像データと、フレーム単位の処理済画像データと、フレーム単位の拡大情報とをフレーム毎に順次記録媒体に記録する媒体記録部とを備えることを特徴とする記録装置が提供される。
【０００９】
上記拡大情報は、拡大倍率であってもよい。また、上記拡大情報は、拡大される原画像領域を指定する情報であってもよい。
【００１０】
また、上記課題を解決するために、本発明の別の観点によれば、フレーム単位のＲＡＷ画像データと、ＲＡＷ画像データを再生可能な画像データに画像処理したフレーム単位の処理済画像データと、処理済画像データを記録する際のデジタルズーム操作の拡大に対応したフレーム単位の拡大情報とがフレーム毎に順次記録された記録媒体から、各ＲＡＷ画像データ、各処理済画像データ及び各拡大情報のうち少なくともいずれかを読み出すデータ読出部と、ＲＡＷ画像データをフレーム毎に順次再生する際、読み出した拡大情報に基づいて、対応するＲＡＷ画像データのフレーム内の一部の領域を拡大する画像処理をする画像処理部とを備えることを特徴とする再生装置が提供される。
【００１１】
また、上記課題を解決するために、本発明の別の観点によれば、撮像素子からフレーム単位で順次出力されるＲＡＷ画像データを再生可能な画像データに画像処理してフレーム単位の処理済画像データを生成するステップと、ＲＡＷ画像データを再生可能な前記処理済画像データに画像処理する際に行なった拡大処理の情報である拡大情報を取得するステップと、フレーム単位のＲＡＷ画像データと、フレーム単位の処理済画像データと、フレーム単位の拡大情報とをフレーム毎に順次記録媒体に記録するステップとを備えることを特徴とする記録方法が提供される。
【００１２】
また、上記課題を解決するために、本発明の別の観点によれば、フレーム単位のＲＡＷ画像データと、ＲＡＷ画像データを再生可能な画像データに画像処理したフレーム単位の処理済画像データと、処理済画像データを記録する際のデジタルズーム操作の拡大に対応したフレーム単位の拡大情報とがフレーム毎に順次記録された記録媒体から、各ＲＡＷ画像データ、各処理済画像データ及び各拡大情報のうち少なくともいずれかを読み出すステップと、ＲＡＷ画像データをフレーム毎に順次再生する際、読み出した拡大情報に基づいて、対応するＲＡＷ画像データのフレーム内の一部の領域を拡大する画像処理をするステップとを備えることを特徴とする再生方法が提供される。
【００１３】
また、上記課題を解決するために、本発明の別の観点によれば、撮像素子からフレーム単位で順次出力されるＲＡＷ画像データを再生可能な画像データに画像処理してフレーム単位の処理済画像データを生成する手段、ＲＡＷ画像データを再生可能な前記処理済画像データに画像処理する際に行なった拡大処理の情報である拡大情報を取得する手段、フレーム単位のＲＡＷ画像データと、フレーム単位の処理済画像データと、フレーム単位の拡大情報とをフレーム毎に順次記録媒体に記録する手段をコンピュータに実行させるためのプログラムが提供される。
【００１４】
また、上記課題を解決するために、本発明の別の観点によれば、フレーム単位のＲＡＷ画像データと、ＲＡＷ画像データを再生可能な画像データに画像処理したフレーム単位の処理済画像データと、処理済画像データを記録する際のデジタルズーム操作の拡大に対応したフレーム単位の拡大情報とがフレーム毎に順次記録された記録媒体から、各ＲＡＷ画像データ、各処理済画像データ及び各拡大情報のうち少なくともいずれかを読み出す手段、ＲＡＷ画像データをフレーム毎に順次再生する際、読み出した拡大情報に基づいて、対応するＲＡＷ画像データのフレーム内の一部の領域を拡大する画像処理をする手段をコンピュータに実行させるためのプログラムが提供される。
【発明の効果】
【００１５】
本発明によれば、画像記録時のデジタルズーム操作に関する拡大情報を保持しながら、記録される画像の品質低下を防止しつつ、高画質なデジタルズーム画像を再生することができる。
【発明を実施するための最良の形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
まず、図１を参照して、本発明の一実施形態に係る動画像記録装置１００について説明する。図１は、本実施形態に係る動画像記録装置１００の構成を示すブロック図である。
【００１８】
動画像記録装置１００は、図１に示すように、カメラ１０２、カメラ信号処理部１０４、フォーマット処理部１１０、現像処理部１２０、サイズ処理部１２２、ＪＰＥＧエンコーダ１２４、ズーム倍率指定部１３０、フォーマット処理部１３２、ファイル化処理部１４０、メディア記録部１５０を有して構成されている。
【００１９】
カメラ信号処理部１０４は、カメラ１０２の撮像素子（ＣＣＤ（Charge  Coupled  Device）、ＣＭＯＳ（Complementary  Metal  Oxide  Semiconductor）等のセンサー）から出力された１フレーム毎の動画像データが入力される。カメラ信号処理部１０４は、入力された信号をＡＤ変換するＡＤコンバータを含んでいる。カメラ信号処理部１０４から出力されたデジタル映像信号は、フォーマット処理部１１０と現像処理部１２０との双方へ送られる。
【００２０】
フォーマット処理部１１０では、撮像素子の画素配列（例えばベイヤー配列、３板ＣＣＤなど）に応じて、デジタル変換されたＲ，Ｇ，Ｂの各信号を並び換える処理をする。また、フォーマット処理部１１０では、フレーム内で可逆的な圧縮処理を動画像データに対して施す。可逆な圧縮方式による圧縮処理によって、画質などを低下させずに画像データを記録、再生することができる。可逆な圧縮方式には、例えば、ハフマン符号を用いたエントロピー符号化等がある。なお、可逆な圧縮方式は、厳密な「可逆」に限定されない。このように、フォーマット処理部１１０によるフォーマット処理では、ＲＡＷ画像データとしての画質を維持するため、画質を損なうような圧縮処理は施されない。一方、ＲＡＷ画像データは非常に大きなファイルサイズとなるため、冗長度の少ないデータに処理する。フォーマット処理部１１０でフォーマット処理された動画像データは、そのままＲＡＷ画像データとしてファイル化処理部１４０へ入力される。
【００２１】
現像処理部１２０では、入力された映像データに対して、ホワイトバランス処理、ベイヤー配列からの補間処理、ノイズ除去、輝度及び色補正等の一連の現像処理が行われる。現像処理部１２０で現像処理が行われたデータは、サイズ処理部１２２へ送られる。
【００２２】
サイズ処理部１２２は、動画像データのサイズを縮小する処理を行う。このとき、サイズ処理部１２２は、撮影時にデジタルズーム操作が行われている場合、デジタルズーム処理（データ領域のうちの一部の切り出し処理、及び拡大処理）を行なう。サイズ処理部１２２から出力されたデータは、ＪＰＥＧエンコーダ１２４へ送られる。
【００２３】
また、サイズ処理部１２２では、必要に応じて、ＥＶＦ（Electronic  View  Finder）（図示せず。）、ＬＣＤ（Liquid  Crystal  Display）（図示せず。）などの表示装置の画面サイズに合わせて、動画像データのサイズを縮小する処理を行う。サイズ処理部１２２から出力されたデータは、ＥＶＦ、ＬＣＤに送られて、画面上に表示される。これにより、ユーザは、カメラ１０２で撮影された映像をリアルタイムで認識することができる。
【００２４】
ＪＰＥＧエンコーダ１２４は、入力されたデータに対してＪＰＥＧの圧縮符号化処理を施し、ファイル化処理部１４０へ圧縮画像データ（処理済画像データ）を送る。
【００２５】
ズーム倍率指定部１３０は、拡大情報取得部の一例であり、動画撮影時に行なわれたデジタルズーム操作による倍率に対応した倍率データをフレーム毎に取得する。ここで、倍率データとは、拡大情報の一例であり、拡大処理に関する情報である。そして、ズーム倍率指定部１３０は、倍率データをフォーマット処理部１３２に送る。フォーマット処理部１３２は、倍率データについてフォーマット処理し、生成されたデータをファイル化処理部１４０へ送る。倍率データは、後述するが、ＲＡＷ画像データのフレーム内の一部の領域（原画像領域）を指定して拡大処理するために必要なデータである。
【００２６】
ファイル化処理部１４０は、フォーマット処理部１１０から送られたＲＡＷ画像データや、ＪＰＥＧエンコーダ１２４で圧縮処理された圧縮画像データや、フォーマット処理部１３２から送られた倍率データを一時的に蓄積する。ファイル化処理部１４０に蓄積された圧縮画像データ、ＲＡＷ画像データ及び倍率データは、メディア記録部１５０へ送られ、記録メディアの記録フォーマットに従い記録メディアに記録される。記録メディアとしては、例えば、光学式記録媒体（ＣＤ、ＤＶＤ等）、光磁気ディスク、磁気ディスク、半導体記憶媒体などが挙げられる。
【００２７】
なお、図示しないが、動画像記録装置１００は、ホストＣＰＵが設けられる。ホストＣＰＵは、ファイル化処理部１４０からメディア記録部１５０へのデータ送信、及びメディア記録部１５０による記録メディアへのデータの記録を制御する。ホストＣＰＵは、ファイル化処理部１４０に蓄積されている圧縮画像データ、ＲＡＷ画像データ及び倍率データを所定量毎（例えば、１フレームのデータ量毎）にメディア記録部１５０へ送り、記録メディアに順次に記録するように、ファイル化処理部１４０及びメディア記録部１５０を制御する。ホストＣＰＵは、圧縮画像データ、ＲＡＷ画像データ及び倍率データを所定の順番で記録メディアに記録する。
【００２８】
なお、動画像記録装置１００における一連の処理は、ハードウェアで処理してもよいし、コンピュータ上のプログラムによるソフトウェア処理で実現してもよい。
【００２９】
以上のように構成された本実施形態の動画像記録装置１００では、カメラ１０２の撮像素子から出力されてＡＤ変換された映像デジタルデータが、フォーマット処理部１１０に送られ、ＲＡＷ画像データのまま記録メディアに記録される。従って、記録メディアには、高画質のＲＡＷ画像データが記録され、ＲＡＷ画像データを読み出して表示することで、圧縮された映像データに比べて、高画質の映像を再生することが可能となる。
【００３０】
一方、ＲＡＷ画像データはデータ量が多いため、ＲＡＷ画像データのままではＥＶＦ、ＬＣＤへのリアルタイム画面表示を行うことはできず、またＪＰＥＧ等の圧縮処理を直接行うことができない。本実施形態の動画像記録装置１００では、ＲＡＷ画像データの記録とともに、動画像データの現像処理、縮小処理、圧縮処理を行うため、撮影と同時にＥＶＦ、ＬＣＤへのリアルタイム表示を行うことができ、表示画面をモニタしながら撮影を行うことができる。また、記録メディアにはＲＡＷ画像データとともに圧縮処理された圧縮画像データが記録されるため、再生時には、圧縮画像データにより映像の検索、サムネイル表示等を行うことが可能である。これにより、映像中の重要な部分についてはＲＡＷ画像データによる高画質再生が可能となり、映像中で比較的重要度の低い部分については、圧縮画像データを高速に読み出すことで簡易的な再生が可能となる。
【００３１】
また、本実施形態の動画像記録装置１００は、ＲＡＷ画像データはそのまま保存し、デジタルズーム倍率に相当する倍率データをＲＡＷ画像データと一緒にファイル化する。記録メディアにはＲＡＷ画像データとともに倍率データが記録されるため、再生時、ＲＡＷ画像データを現像処理する際、倍率データを読み出して現像処理することができ、高画質な現像処理をすることができる。また、参照画像としての圧縮画像データは、デジタルズーム処理が行われたデータでありデータ量の軽減が図られているため、圧縮画像データを用いることで、画像の検索、確認等を効率良く行なうことができる。
【００３２】
次に、記録メディアにおける記録フォーマットについて説明する。図２は、動画像記録装置１００による、記録メディアへの記録のフォーマットを示す模式図である。撮像素子が例えばベイヤー配列の単板の場合には、出力されるデータはＲ：Ｇ：Ｂ＝１：２：１のベイヤー配列された画素の順番で出力される。動画像記録装置１００は、このベイヤー配列データについて画質を損なうことなく記録するため、フォーマット処理部１１０によりＲＧＢの順に並び替え、画質を損なうような圧縮処理を施すことなく記録する。
【００３３】
図２（Ａ）は、映像の記録開始（録画スタート）から記録停止（録画停止）までの間の１つの動画ファイルを示している。また、図２（Ｂ）は、図２（Ａ）の記録データのうち、１フレーム分のデータを示している。
【００３４】
ベイヤー配列のＲＧＢデータは、フォーマット処理部１１０により並べ替えられ、記録メディアのデータ領域に記録される。また、ＪＰＥＧエンコーダ１２４によりエンコードされた圧縮画像データ、及び図示しないフォーマット処理部でフォーマットされた音声データも記録メディアのデータ領域に記録される。図２（Ａ）に示すように、記録フォーマットの先頭には、ヘッダー（Header）が記録される。ヘッダーには、撮影日時、カメラ１０２の撮像素子の情報、動画像記録装置１００のセット名称、オーディオのチャンネル数、ビット数、記録メディアの記録フォーマット情報、カメラ１０２のレンズの仕様データ等の全体的な情報が記録される。ヘッダーに続いて、映像の１フレーム毎にデータが記録される。
【００３５】
１フレーム毎のデータは、フレームヘッダー（Frame  Header  ０，１，・・・，ｎ）とフレーム毎のデータ（Ｆ０，  Ｆ１，・・・，Ｆｎ）から構成される。図２（Ｂ）に示すように、フレーム毎のデータは、音声データ（Audio）、圧縮画像データ（Compressed  Image）、ＲＡＷ画像データ（Ｇ，Ｂ，Ｒ）の順で、フレーム単位で繰り返し記録される。そして、最後のフレームＦｎのデータに続いて、フッター（Footer）が記録される。
【００３６】
各フレームのフレームヘッダーには、例えば、各フレームの音声データ、圧縮画像データ、ＲＡＷ画像データのデータサイズが記録される。また、各フレームのフレームヘッダーには、フレーム毎の倍率データが記録される。
【００３７】
次に、図３を参照して、デジタルズームの拡大例について説明する。図３は、本実施形態に係る撮像素子の撮像面を示す模式図である。
【００３８】
現像処理部１２０、サイズ処理部１２２を介して生成された圧縮画像データは、デジタルズーム処理を行ったデータであり、図３に示すＨｚ×Ｖｚの範囲（原画像領域）のデータのみ抽出されて記録される。一方、フォーマット処理部１１０を介して生成されたＲＡＷ画像データは、図３に示すＨｓ×Ｖｓの範囲の撮像面全ての領域のデータが記録される。そして、倍率データは、倍率に限定されず、倍率以外の拡大処理に必要な情報（拡大情報）でもよく、例えば、（１）Ｈｚ，Ｖｚの組み合わせ、（２）Ｈｓ／Ｈｚの割合、Ｖｓ／Ｖｚの割合（デジタルズーム比率）とすることができる。また、倍率データには（３）撮像面の左上からのオフセット位置を含めてもよい。ズーム倍率指定部は、これら（１）〜（３）等からなる倍率データ（拡大情報）をフレーム毎に出力する。そして、倍率データ（拡大情報）を用いてＲＡＷ画像データを現像処理することにより、デジタルズーム操作と同一のズーム効果を反映した画像を得ることができる。
【００３９】
次に、図４を参照して、図１の動画像記録装置１００で記録された動画像データを再生する動画像再生装置２００について説明する。図４は、本発明の一実施形態に係る動画像再生装置２００の構成を示すブロック図である。図４に示すように、動画像再生装置２００は、ホストＣＰＵ２０２、メディア読出部２１０、De-Multiplex２１２、デジタルズーム倍率抽出部２２０、音声信号処理部２３０、オーディオ出力部２３２、ＪＰＥＧデコード部２４０、フォーマット処理部２５０、現像処理部２５２、サイズ処理部２５４、ＭＵＸ２６０、ビデオ出力部２６２を有して構成されている。
【００４０】
メディア読出部２１０は、ホストＣＰＵ２０２からの指令により、記録メディアからデータを読み出す。
【００４１】
De-Multiplex２１２は、メディア読出部２１０から読み出したデータを一時的に溜め、音声信号処理部２３０、ＪＰＥＧデコード部２４０、フォーマット処理部２５０のそれぞれに送る。
【００４２】
デジタルズーム倍率抽出部２２０は、フレームヘッダーに記録された倍率データを抽出し、ホストＣＰＵ２０２に送る。
【００４３】
ホストＣＰＵ２０２は、デジタルズーム倍率抽出部２２０から送られた倍率データに基づいて、現像処理部２５２又はサイズ処理部２５４における拡大処理などの画像処理を制御する。これにより、記録メディアから倍率データが読み出された場合、そのデータに従って、現像処理、サイズ処理が行われるため、撮影時のデジタルズーム操作に対応した高画質な現像処理、サイズ処理を行うことができる。
【００４４】
音声信号処理部２３０は、音声データをデフォーマットし、デフォーマットされた信号をＤＡ変換し、オーディオ出力部２３２に送る。オーディオ出力部２３２は、アナログ変換されたオーディオ信号を外部に出力する。
【００４５】
また、ＪＰＥＧデコード部２４０は、圧縮画像データをデコードし、デコードされた映像データを縮小または拡大し、ＭＵＸ２６０へ送る。
【００４６】
また、フォーマット処理部２５０は、ＲＡＷ画像データをベイヤーデフォーマットし、ベイヤー配列に並べ替えて現像処理部２５２へ送る。
【００４７】
現像処理部２５２は、デフォーマットされたＲＡＷ画像データに対して、ホワイトバランス処理、ベイヤー配列からの補間処理、ノイズ除去、輝度及び色補正等の一連の現像処理を行う。サイズ処理部２５４は、現像処理が行われたＲＡＷ画像データのサイズを縮小する処理を行い、ＭＵＸ２６０へ送る。
【００４８】
ＭＵＸ２６０は、ＪＰＥＧデコード部２４０又はサイズ処理部２５４から送られた映像データを、ビデオ出力部２６２へ送る。ビデオ出力部２６２では、送られたデータをＤＡ変換し、アナログ信号データを外部に出力する。
【００４９】
なお、動画像再生装置２００における一連の処理は、ハードウェアで処理してもよいし、コンピュータ上のプログラムによるソフトウェア処理で実現してもよい。
【００５０】
以上のように構成された本実施形態の動画像再生装置２００では、メディア読出部２１０から読み出したファイルの中の各フレームヘッダーに記録された倍率データを用いて現像処理、サイズ処理を行う。そして、動画像再生装置２００によれば、ソフトウェアなどによるＲＡＷ画像データの現像処理を行うことができ、高機能なアルゴリズムを使用できる。その結果、解像度やフレームレートなどの撮影条件に応じた拡大処理をすることができ、高画質な現像処理を行うことができる。なお、本実施形態では倍率データを用いる場合について説明したが、本発明は、倍率以外の拡大情報を用いる場合にも同様に適用することができる。
【００５１】
ＲＡＷ画像データの再生時には、記録メディアからＧ、Ｂ、Ｒの各ＲＡＷ画像データを読み出し、そのデータを現像処理することによって、ＲＡＷ画像データが映像信号化される。この信号は、所定の画像サイズに縮小処理されて、ビデオ出力部２６２にビデオ出力される。これにより、動画像再生装置２００によって、高画質な再生が可能となる。
【００５２】
圧縮画像データを再生する場合は、記録メディアからフレーム単位に圧縮画像データを順次に読み出すことで、圧縮画像データを再生することができる。この場合、読み出されるデータサイズはＲＡＷ画像データに比べて極めて小さい。ＪＰＥＧデコードされた映像信号を所定の画像サイズに縮小処理、または拡大処理して出力することで、ＲＡＷ画像データの再生に比べて軽い処理で再生を行うことが可能となる。このように、圧縮画像データによる簡易再生モードを活用することにより、動画像再生装置２００のハードウェア構成を大幅に削減できるとともに、消費電力を大幅に低減できる。
【００５３】
また、特殊再生モードとして、高速再生モードについても、ＪＰＥＧデータを用いることで、負荷の少ない処理が可能となる。この場合、再生の倍速率に合わせてフレームヘッダーのみをサーチしながら、音声データ、圧縮画像データ、ＲＡＷ画像データのデータサイズ情報から必要なフレームだけを飛び越し走査して圧縮画像データを読み出し、ＪＰＥＧデコードして読み出せば良い。逆転方向の再生も同様の方法を用いることで容易に実現可能である。
【００５４】
また、圧縮画像データを用いて、ファイルの中の撮影画像の一覧をサムネイル表示することも可能である。この場合、例えば複数の動画ファイルのそれぞれについて、１フレームの画像をサムネイル表示してもよいし、各動画ファイルを動画としてサムネイル表示してもよい。
【００５５】
以上説明したように本実施形態によれば、ＲＡＷ画像データと圧縮画像データの双方を関連付けて記録することができるため、高画質再生を行う場合はＲＡＷ画像データを使用し、リアルタイム表示、画像検索等では、データ量の少ない圧縮画像データを用いることができる。これにより、高画質かつ操作性の優れた動画像記録装置１００、および動画像再生装置２００を提供することが可能となる。
【００５６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００５７】
【図１】本発明の一実施形態に係る動画像記録装置の構成を示すブロック図である。
【図２】動画像記録装置による、記録メディアへの記録のフォーマットを示す模式図である。
【図３】同実施形態に係る撮像素子の撮像面を示す模式図である。
【図４】同実施形態に係る動画像再生装置の構成を示すブロック図である。
【符号の説明】
【００５８】
１００      動画像記録装置
１０２      カメラ
１０４      カメラ信号処理部
１１０、１３２、２５０      フォーマット処理部
１２０      現像処理部
１２２      サイズ処理部
１２４      ＪＰＥＧエンコーダ
１３０      ズーム倍率指定部
１３２      フォーマット処理部
１４０      ファイル化処理部
１５０      メディア記録部
２００      動画像再生装置
２０２      ホストＣＰＵ
２１０      メディア読出部
２１２      De-Multiplex
２２０      デジタルズーム倍率抽出部
２３０      音声信号処理部
２３２      オーディオ出力部
２４０      ＪＰＥＧデコード部
２５２      現像処理部
２５４      サイズ処理部
２６０      ＭＵＸ
２６２      ビデオ出力部
【図１】
2009147743.tif 000003
【図２】
2009147743.tif 000004
【図３】
2009147743.tif 000005
【図４】
2009147743.tif 000006